(57)【特許請求の範囲】
【請求項１】
被検体を検査室内に設置された検査装置を用いて検査して医療用情報を生成する医療検査システムにおいて、
被検体の識別情報を保持すると共に携帯自在な情報担持体と、
前記検査室における被検体の入口に設置される前記情報担持体の識別情報を非接触で読取可能な第１の読取手段と、
前記検査装置または前記検査装置に近接した位置に設置される前記情報担持体の識別情報を非接触で読取可能な第２の読取手段と、
被検体の検査に関連する情報を該被検体の識別情報の対応に記憶するデータベース手段と、
前記検査室の隣部屋に設置される前記検査装置の動作のための操作を行うためのコンソール手段において、前記第１の読取手段により読み取られ識別情報を表示すると共にデータベース手段から被検体の検査に関連する情報を抽出して表示することにより検査の準備を可能とする第１の制御手段と、
前記コンソール手段において、前記第２の読取手段により読み取られた識別情報を表示することによって、前記準備の対象となる被検体の識別情報と検査装置に接近した被検体の識別情報との同一性の確認を可能とする第２の制御手段と
を備えたことを特徴とする医療検査システム。
【請求項２】
前記第１の制御手段は、前記第１の読取手段で読み取った識別情報に基づき前記データベース手段から被検体の検査予定に係る情報を抽出して表示することを特徴とする請求項１に記載の医療検査システム。
【請求項３】
前記第１の制御手段は、前記第１の読取手段で読み取った識別情報に基づき前記データベース手段から当該被検体の過去の検査履歴に係る情報を抽出して表示することを特徴とする請求項１に記載の医療検査システム。
【請求項４】
前記第１の制御手段は、前記第１の読取手段で読み取った識別情報に基づき前記データベース手段から当該被検体の過去の検査条件に係る情報を抽出して表示することを特徴とする請求項１に記載の医療検査システム。
【請求項５】
検査装置は、被検体を挟んで相対向するＸ線管及びＸ線検出器を備え、該Ｘ線検出器から収集した投影データに基づき被検体のＣＴ断層像を再構成するＸ線ＣＴ装置であることを特徴とする請求項１乃至４の何れか一つに記載の医療検査システム。
【請求項６】
前記検査装置は、被検体を載置する載置手段を備え、前記第２の読取手段は
、前記載置手段に設けられていることを特徴とする請求項５に記載の医療検査システム。
【請求項７】
検査装置は、被検体を搭載して体軸方向及び上下方向に移動可能な撮影テーブルを備え、前記第１の制御手段は、前記第１の読取手段で読み取った識別情報に基づき前記データベース手段から当該被検体の身長及び又は病状に係る情報を抽出して撮影テーブルの高さを調節することを特徴とする請求項５または６に記載の医療検査システム。
【請求項８】
前記第１の制御手段は、前記第１の読取手段で読み取った識別情報に基づき前記データベース手段から当該被検体の身長及び体重に係る情報を抽出してＸ線の曝射エネルギーを設定し、画面に表示することを特徴とする請求項５から７のいずれか一項に記載の医療検査システム。
【発明の詳細な説明】
【０００１】
【発明の属する技術分野】
本発明は医療検査システムに関し、更に詳しくは被検体を検査して医療用情報を生成する医療検査システムに関する。
【０００２】
病院等では、毎日多数の患者が医療検査装置（Ｘ線装置，ＭＲ装置，心電計等）により検査を行うため、患者本人とその検査に係る情報（検査予定情報、検査結果の情報等）とが正しく迅速に管理される必要がある。
【０００３】
【従来の技術】
今日、病院等では、初診の来院時に、受付にて診療カード（通常は磁気カード）が作成され、該カードに所定の患者識別情報（登録ＩＤ、氏名，性別，生年月日、カルテ番号，診療科名等）が記録される。次回からは、この診療カードを提出するだけで、診療順番の付与、カルテの抽出等、事務的な諸手続が円滑に行われる。
【０００４】
患者は受付で付与された当日の診察券を診療科の窓口に提出し、順番を待つ。
やがて、名前を呼ばれると、医師の診察（問診）を受けられる。医師は、患者の診察（問診）を行うと共に、例えばＸ線ＣＴ撮影が必要と判断すると、検査の依頼内容を記載したオーダシートを作成する。通常、この検査は、緊急の場合を除き、日を改めて行われる。
【０００５】
図６に従来のＸ線ＣＴ装置を使用した場合の検査方法を示す。図において、３０’はＸ線ファンビームにより被検体のアキシャル／ヘリカルスキャン・読取を行う走査ガントリ部、２０’は被検体を載せて体軸方向に移動させる撮影テーブル、１０’は上記各部３０’，２０’の制御を行うと共に、Ｘ線撮影技師が操作をする操作コンソール部である。
【０００６】
Ｘ線ＣＴ検査室では、医師から回されたオーダシートに基づき、当日検査予定の患者識別情報等を予めコンソール１０’に入力しておく。そして、ある患者ａを呼び、呼ばれた患者が入室すると、オーダリストから対応する患者識別情報を抽出して、Ｘ線ＣＴ撮影の準備を行う。
【０００７】
【発明が解決しようとする課題】
しかし、上記名前のみで患者を認識する方法であると、技師と患者（被検体）との間では、医師と患者との間ほどに密に対話が行われる訳ではないため、万が一、患者（被検体）を取り違えても気づかない可能性が高い。しかも、一人では動けないような緊急や重病患者の場合には、本人に代わって他人（付き添い，看護婦等）が応答する場合も少なく無く、技師による患者本人の確認は一層曖昧なものとなる。一方、患者の確認をあまり慎重に行うと、患者及び技師の双方に手間を強いるばかりか、検査のスループットが低下してしまう。
【０００８】
本発明は上記従来技術の問題点に鑑みなされたもので、その目的とする所は、患者（被検体）を迅速かつ的確に認識できると共に検査のスループットを向上できる医療検査システムを提供することにある。
【０００９】
【課題を解決するための手段】
本発明の医療検査システムは、被検体を検査室内に設置された検査装置を用いて検査して医療用情報を生成する医療検査システムにおいて、被検体の識別情報を保持すると共に携帯自在な情報担持体と、前記検査室における被検体の入口に設置される前記情報担持体の識別情報を非接触で読取可能な第１の読取手段と、前記検査装置または前記検査装置に近接した位置に設置される前記情報担持体の識別情報を非接触で読取可能な第２の読取手段と、被検体の検査に関連する情報を該被検体の識別情報の対応に記憶するデータベース手段と、前記検査室の隣部屋に設置される前記検査装置の動作のための操作を行うためのコンソール手段において、前記第１の読取手段により読み取られ識別情報を表示すると共にデータベース手段から被検体の検査に関連する情報を抽出して表示することにより検査の準備を可能とする第１の制御手段と、前記コンソール手段において、前記第２の読取手段により読み取られた識別情報を表示することによって、前記準備の対象となる被検体の識別情報と検査装置に接近した被検体の識別情報との同一性の確認を可能とする第２の制御手段とを備えたものである。
【００１０】
本発明によれば、情報担持体１から非接触で識別情報を読み出すことにより、患者と技師が口答で本人を確認する手間や曖昧さを削減できる。また、情報担持体１から読み取った識別情報に基づきデータベース手段４から被検体の検査に関連する情報を抽出して表示することにより、当該被検体と話すまでも無く、被検体の詳しいプロフィール（名前，性別，年齢等）を正しく把握できる。従って、被検体を取り違える心配も少ない。こうして、本人の確認を迅速かつ確実に行え、検査のスループットが向上する。
【００１１】
好ましくは、前記第１の制御手段は、前記第１の読取手段で読み取った識別情報に基づき前記データベース手段から被検体の検査予定に係る情報を抽出して表示する。ここで、被検体の検査予定に係る情報には、当該被検体が当日の検査予定に組み込まれていること、及び当該検査についての医師からのオーダデータ等が含まれる。
【００１２】
従って、技師は入室した被検体が当日検査を予定されている患者の一人である事を容易に確認できると共に、関連して表示される医師からのオーダデータに従って速やかに被検体の検査準備に取りかかれる。
【００１３】
また好ましくは、前記第１の制御手段は、前記第１の読取手段で読み取った識別情報に基づき前記データベース手段から当該被検体の過去の検査履歴に係る情報を抽出して表示する。ここで、被検体の過去の検査履歴に係る情報には、過去の検査年月日、検査の種類，検査状況等の情報が含まれる。
【００１４】
従って、技師は入室した被検体が初診／再診か、また過去にどの種類の検査をどの程度の頻度で受けているか等の検査状況を容易に把握できる。これに伴い、例えば初診の場合は、患者に詳しいガイダンスを行って検査を確実・安全に遂行し、また再診の場合は、重複した説明を省略することで、検査のスループットを有効に向上できる。
【００１５】
また好ましくは、前記第１の制御手段は、前記第１の読取手段で読み取った識別情報に基づき前記データベース手段から当該被検体の過去の検査条件に係る情報を抽出して表示する。ここで、被検体の過去の検査条件に係る情報には、検査装置に対する様々な設定値等が含まれる。
【００１６】
従って、再検査の場合は、過去の検査に係る設定情報を参考にすることで、検査準備を迅速に進められる。また、このことは検査が複雑であればあるほど、有益である。
【００１７】
また好ましくは、医療検査システムの所定のコース上に複数の読取手段を備え、コンソール手段は、各読取手段で読み出した被検体の識別情報に基づき被検体の移動状態を検出する。
【００１８】
ところで、検査によっては、事前に血管造影剤等の点滴を受ける処置を受けて後、検査手段３による本検査を受ける場合がある。係る場合には、検査手順に応じて決まる所定のコース上の随所に複数の読取手段２ａ，２ｂ等を設ける事で、被検体の移動状態を検出する。従って、被検体が正しい処置をシーケンス通りに受けた事等を、容易に、かつリアルタイムに確認できる。ま、多数の被検体に対する煩雑な検査を順序通りに効率良く行える。
【００１９】
また好ましくは、検査装置は、被検体を挟んで相対向するＸ線管及びＸ線検出器を備え、該Ｘ線検出器から収集した投影データに基づき被検体のＣＴ断層像を再構成するＸ線ＣＴ装置である。
【００２０】
本発明は、Ｘ線ＣＴ装置のような複雑な検査工程を有する検査システムに適用して好適である。
【００２１】
また好ましくは、前記検査装置は、被検体を載置する載置手段を備え、前記第２の読取手段は、前記載置手段に設けられている。
また好ましくは、検査装置は、被検体を搭載して体軸方向及び上下方向に移動可能な撮影テーブルを備え、前記第１の制御手段は、前記第１の読取手段で読み取った識別情報に基づき前記データベース手段から当該被検体の身長及び又は病状に係る情報を抽出して撮影テーブルの高さを調節する。
【００２２】
例えば、身長が高い場合は撮影テーブルを自動的に高くし、また身長が低い場合は撮影テーブルを自動的に低くすることで、被検体がスムーズに撮影テーブルの上に横たわることが可能となる。また、被検体の病状（車椅子、タンカ，移動式寝台等で運ばれる状態）に応じても撮影テーブルの高さを自動的に調整可能となる。従って、サービス向上になると共に、検査のスループット向上にもつながる。
【００２３】
また好ましくは、前記第１の制御手段は、前記第１の読取手段で読み取った識別情報に基づき前記データベース手段から当該被検体の身長及び体重に係る情報を抽出してＸ線の曝射エネルギーを設定し、画面に表示する。
【００２４】
Ｘ線ＣＴ装置では、常に高品質なＣＴ断層像を得るため、被検体の体格に応じてＸ線の曝射エネルギー（Ｘ線管の管電流ｍＡ等）を変更することが行われる。本発明によれば、第１の読取手段で読み取った識別情報に基づきデータベース手段から被検体の体格（身長及び体重）に係る情報を抽出してＸ線の曝射エネルギーを自動設定・表示するため、技師の複雑な設定負担が大幅に軽減される。
【００２５】
【発明の実施の形態】
以下、添付図面に従って本発明に好適なる実施の形態を詳細に説明する。なお、全図を通して同一符号は同一又は相当部分を示すものとする。図２は実施の形態によるＸ線ＣＴ検査システムの要部構成図で、本発明のＸ線ＣＴ検査システムへの適用例を示している。この検査システムは大きく分けて、Ｘ線ファンビームＸＬＦＢにより被検体１００のアキシャル／ヘリカルスキャン・読取等を行う走査ガントリ部３０と、被検体１００を載せて体軸ＣＬｂの方向に移動させる撮影テーブル２０と、上記各部３０，２０の制御を行うと共に、Ｘ線撮影技師が操作をする操作コンソール部１０とから構成される。
【００２６】
走査ガントリ部３０において、４０は回転陽極型のＸ線管、４０ＡはＸ線管の管電圧ｋＶ，管電流ｍＡ等を制御するＸ線制御部、５０はＸ線の曝射範囲（主に体軸ＣＬｂ方向）の制限を行うコリメータ、５０Ａはコリメータのスリット開口幅等を制御するコリメータ制御部、９０はチャネルＣＨ方向に並ぶ多数（ｎ＝１０００程度）のＸ線検出素子が体軸ＣＬｂ方向の例えば２列Ａ，Ｂ（なお、他の１列又は３列以上でも良い）に配列されているＸ線検出器、９１はＸ線検出器９０の検出信号に基づき被検体１００の投影データを生成し、収集するデータ収集部、３０Ａは走査ガントリ（Ｘ線撮影系）を体軸ＣＬｂの回り回転させる回転制御部である。
【００２７】
撮影テーブル２０において、２１は被検体１００を載せて体軸ＣＬｂ方向及び上／下方向に移動可能な天板である。この天板２１は、被検体１００が乗り降りするときも、その高さを上下される。
【００２８】
操作コンソール部１０において、１１はＸ線ＣＴ装置の主制御・処理（スキャン制御，ＣＴ断層像の再構成処理，被検体識別情報の自動入力／確認処理等）を行う中央処理装置、１１ａはそのＣＰＵ、１１ｂはＣＰＵ１１ａが使用するＲＡＭ，ＲＯＭ等からなる主メモリ（ＭＭ）、１２はキーボードやマウス等を含む指令やデータの入力装置、１３は被検体識別情報等を含むスキャン計画の情報や画像再構成されたＣＴ断層像等を表示するための表示装置（ＣＲＴ）、１４はＣＰＵ１１ａと走査ガントリ部３０，撮影テーブル２０及び後述の非接触形のカードリーダ７０との間で各種制御信号ＣＳやモニタ信号ＭＳ等のやり取りを行う制御インタフェース、１５はデータ収集部９１からの投影データを一時的に蓄積するデータ収集バッファ、１６はデータ収集バッファ１５からの投影データを蓄積・格納すると共に、Ｘ線ＣＴ装置の運用に必要な各種アプリケーションプログラムや各種演算／補正用のデータファイル等を格納している二次記憶装置（ハードディスク装置等）、そして、１７は、外部のネットワーク（ＬＡＮ、インターネット、イントラネット等）１０００を介して、多数の患者の各種医療検査及び検査結果に係る情報を保持しているサーバ５００に接続するための通信制御部である。
【００２９】
サーバ５００は、この医療機関に共通のサーバであり、患者の識別ＩＤで参照されるエリアには、当該患者に関する各種の医療情報が蓄積されている。即ち、この医療情報には、医師からの検査オーダに係る情報、過去の検査履歴に係る情報、患者のカルテ（診断結果の）情報、過去のＸ線ＣＴ検査条件に係る情報、被検体の病状（車椅子の有無等）に係る情報、被検体の体格（身長，体重等）に係る情報等が含まれ、各情報は、患者の通院（各種診断）の度に発生し、サーバ５００に蓄積される。
【００３０】
更に、８０は、患者の識別情報等を記録すると共に、患者が携帯自在に保持可能な診療カード（ＩＣカード）、７０は、検査室における所定のコース上の随所に設けられ、診療カード８０に記録されている患者識別情報を非接触で読出可能な１又は２以上のカードリーダ（ＲＤ）である。
【００３１】
なお、上記ＩＣカード８０は図１の情報担持体１に、カードリーダ７０は図１の読取手段２に、走査ガントリ部３０は図１の検査手段３に、操作コンソール部１０は図１のコンソール手段５に、サーバ５００は図１のデータベース手段４に夫々相当する。また、小規模のシステムでは、サーバ５００の機能を二次記憶装置１６に持たせるように構成ても良い。
【００３２】
係る構成により、Ｘ線ＣＴ撮影の動作を概説すると、Ｘ線管４０からのＸ線ファンビームＸＬＦＢは被検体１００を透過してＸ線検出器９０の検出器列Ａ，Ｂに一斉に入射する。データ収集部９１はＸ線検出器９０の各検出器列出力に対応する投影データｇA（Ｘ，θ），ｇB（Ｘ，θ）を生成し、これらをデータ収集バッファ１５に格納する。ここで、Ｘは検出器のチャネル番号、θはビュー角を表す。更に、走査ガントリが僅かに回転した各ビュー角θで上記同様のＸ線投影を行い、こうして走査ガントリ１回転分の投影データを収集・蓄積する。また同時に、アキシャル／ヘリカルスキャン方式に従って撮影テーブル２０を被検体１００の体軸ＣＬｂ方向に間欠的／連続的に移動させ、こうして被検体１００の所要撮影領域についての全投影データを収集・蓄積し、これらを二次記憶装置１６に格納する。そして、ＣＰＵ１１ａは、上記全スキャンの終了後、又はスキャン実行に追従（並行）して、得られた投影データに基づき被検体１００のＣＴ断層像を再構成し、これを表示装置１３に表示する。
【００３３】
図３に実施の形態によるＸ線ＣＴ検査システムの外観図を示す。検査室には走査ガントリ部３０と、撮影テーブル２０とがあり、その隣室に操作コンソール部１０がある。また、この検査室には患者（被検体）の出入口があり、その近傍に患者の入室を検出するための第１のカードリーダ７０ａが設けられる。また、この例では、撮影テーブル２０の一部又はその近傍にも患者の搭載（乗り降り）を検出するための第２のカードリーダ７０ｂが設けられる。
【００３４】
出入口から入室した患者１００は、診療カード５０を手又は胸ポケット等に保持すると共に、フロアの矢印に従って第１のカードリーダ７０ａの近傍を通過し、その後は、技師の案内に従って、撮影テーブル２０の上に横たわる。このとき、患者１００は、診療カードが撮影の邪魔にならないように、例えば診療カードをズボンのポケットか、又は撮影テーブル２０の指定位置に置く。好ましくは、この第２のカードリーダ７０ｂは、撮影テーブル２０の指定位置又は撮影テーブル２０に横たわった患者１００のズボンのポケット近傍に設けられている。
【００３５】
上記患者１００が第１のカードリーダ７０ａの近傍を通過すると、診療カード８０から患者識別情報が自動的に読み取られる。この患者識別情報には、医療システムで一意に決まる患者の登録ＩＤ，氏名、性別、生年月日等の情報が含まれる。この患者識別情報は速やかに操作コンソール部１０に表示され、技師は、画面を見ることで、まずは当該患者が検査を予定した患者か否か等を容易に確認できる。
【００３６】
更に、ＣＰＵ１１ａは患者の識別ＩＤでサーバ５００にアクセスし、当該患者の検査に関する情報（患者の詳細なプロファイル情報，医師からの撮影オーダ情報等）を抽出し、画面に表示する。従って、技師は速やかに患者の撮影準備に取りかかれる。
【００３７】
また、上記患者１００が第２のカードリーダ７０ｂの近傍に接近すると、診療カード８０から上記と同一の患者識別情報が自動的に読み取られる。これにより、技師（操作コンソール部１０）は、入室した患者と、撮影テーブル２０に近づいた患者とが同一人物であることを確認できる。従って、仮に複数の患者が入室しても、最終的な検査対象（被検体）を取り違える心配がない。検査動作の詳細については図６に従って、後述する。
【００３８】
次に一例の診療カード８０と、カードリーダ７０とを説明する。図４は実施の形態による患者情報入力方式の構成を示す図で、マイクロ波等によるディジタル無線回線を介して患者識別情報を読み取る場合を示している。図において、７０は診療カード８０の記録情報を非接触で読み取るカードリーダ（ＲＤ）、７１はＢＰＳＫ方式等による無線受信部、７２はその受信アンテナ、７３は操作コンソール部１０の制御インタフェース部１４に接続する通信インタフェース（ＣＩＦ）、７４は診療カード８０に非接触で給電するための給電部、７５は正弦波信号の発信器、Ｌ１は磁気結合により電力を送電するためのコイルである。
【００３９】
コイルＬ１による給電動作は、これを常時行っても良いが、好ましくは、次の患者が通過／接近するときにＣＰＵ１１ａにより付勢される。具体的には、ＣＰＵ１１ａからのコマンドがＣＩＦ７３で解読され、発信器７５の発振が付勢／消勢される。
【００４０】
８０は診療（ＩＣ）カード、８１はＩＣカードに給電するための受電部、Ｌ２は送電用コイルＬ１との磁気結合により給電を受けるためのコイル、Ｃ１は所定の送電周波数に共振するためのコンデンサ、Ｄは受信電力整流用のダイオード、Ｃ２は受信電力の平滑用コンデンサ、ＶＲは負荷に定電圧を供給するための定電圧レギュレータ、８２は各種電子回路を実装された集積回路（ＬＳＩＣ）、８３はＩＣカードの主制御を行うＣＰＵ（プログラム実行のためのＲＯＭ，ＲＡＭ等を含む）、８４は患者の識別情報を不揮発に記憶するＥＥＰＲＯＭ（又はフラッシュＲＯＭ等）、８５はＢＰＳＫ方式等による無線送信部、８６はその送信アンテナ、８７は外部からＥＥＰＲＯＭ８４に患者識別情報等を書き込むためのシリアルインタフェース（ＳＩＦ）、８８はそのデータの入力端子、８９はＣＰＵ８３の共通バスである。
【００４１】
新規に診療カード８０を作成するときは、受付の外部装置（不図示）からＩＣカード８０のＥＥＰＲＯＭ８４に患者の識別情報が書き込まれる。この識別情報には、患者の登録ＩＤ，氏名，生年月日，性別，カルテ番号，診療科名等が含まれる。
【００４２】
その後、患者がこの診療カード８０を携帯する時は、ＬＳＩＣ８２には給電されず、よってＩＣカードとしては機能しない。このとき、ＥＥＰＲＯＭ８４の記憶情報は給電なしでも、保持されている。
【００４３】
更にその後、この診療カード８０を携帯する患者が、検査室のカードリーダ７０の近傍に接近すると、コイルＬ１，Ｌ２間の磁気結合を介して給電部７４から受電部８１に給電され、ＬＳＩＣ８２に給電される。これにより、ＣＰＵ８３が動作開始すると共に、ＥＥＰＲＯＭ８４から患者識別情報を読み出し、これを無線送信部８５を介して無線送信する。更に、アンテナ８６からの電波はアンテナ７２で受信され、更に無線受信部７１で復調・硬判定され、得られた患者識別情報データは、ＣＩＦ７３及び操作コンソール部１０の制御インタフェース１４を介してＣＰＵ１１ａに受け取られる。
【００４４】
そして、患者（診療カード８０）がカードリーダ７０の近傍を通過してしまうと、コイルＬ１，Ｌ２間の磁気結合が切れることで、ＬＳＩＣ８２には給電されなくなり、これによりＩＣカードとしての機能を停止する。
【００４５】
なお、上記ＩＣカード８０へのリモート給電方式には、他にも様々な方法がある。例えば、カードリーダ７０から給電用の光（可視光，赤外線等）を発光し、これをＩＣカード８０に設けた受光素子（アモルファスシリコン・ヘテロ構造・太陽電池等）で受けて、電力に変換しても良い。
【００４６】
次に一例のＸ線ＣＴ検査動作を詳細に説明する。図５は実施の形態によるＸ線ＣＴ検査処理のフローチャートである。図５（Ａ）はＸ線ＣＴ撮影準備処理
を示しており、次の患者が入室するときに実行される。ステップＳ１１では患者識別情報の入力を待つ。やがて、ある患者がカードリーダ７０ａの近傍を通過すると、ＩＣカード８０から患者識別情報が読み出され、カードリーダ７０ａの識別情報と共にＣＰＵ１１ａに入力される。ステップＳ１２では、この患者識別情報でネットワーク１０００に接続するサーバ５００にアクセスし、当該患者を検査するために必要な関連の医療情報を抽出する。
【００４７】
この関連医療情報には、患者の検査予定に係る情報、医師からの検査オーダ（測定部位，スライス厚，スライス枚数等）に係る情報、過去の検査履歴（同種又は異種の検査を受けた日付）に係る情報、患者のカルテ（診断結果の）情報、過去のＸ線ＣＴ検査条件（管電圧ｋＶ，管電流ｍＡ等）に係る情報、被検体の病状（車椅子，移動寝台の使用有無等）に係る情報、被検体の体格（身長，体重等）に係る情報等が含まれる。そして、ステップＳ１３では患者識別情報と共に、上記抽出した関連医療情報を後述する各適宜のタイミングに表示又は利用する。従って、技師は、まずは入室した患者を適正に認識できると共に、必要な撮影準備処理を迅速・的確に進められる。
【００４８】
なお、図示しないが、患者が次に撮影テーブル２０（カードリーダ７０ｂ）の近傍に接近すると、ＩＣカード８０から患者識別情報が読み出され、カードリーダ７０ｂの識別情報と共にＣＰＵ１１ａに入力される。この場合のＣＰＵ１１ａは、上記抽出した患者の身長，病状に係る情報に基づき、患者が天板２１に横たわる動作を推定・演算し、天板２１の高さを最適な高さに自動的に調節する。従って、患者は天板２１にスムーズに横たわることができる。
【００４９】
また、カードリーダ７０ａ，７０ｂの各患者識別情報を比較することで、入室時の患者１００と走査ガントリに近づいた患者１００とが同一であることを確認でき、実際に検査する患者の取り違えや、間違った測定条件で検査することを有効に防止できる。
【００５０】
図５（Ｂ）はＸ線ＣＴ撮影処理を示しており、患者が撮影テーブル２０に横たわると、この処理が実行される。ステップＳ２１ではアキシャル／ヘリカルスキャンのためのスキャン計画画面が表示部１３に表示され、技師は必要なスキャンパラメータを設定する。一例のスキャンパラメータは、
スキャンタイプ[Scan Type]＝アキシャルスキャン
体軸上のスキャン開始位置[Start Loc]＝ｚ１
体軸上のスキャン終了位置[End Loc]＝ｚ２
スキャン回数[NO.of Scan]＝１５０（２列ディテクタ使用の場合）
スキャン幅[Thick]＝１ｍｍ（検出１列当たり）
スキャン時間[Sec]＝１秒／ガントリ１回転
Ｘ線管の管電圧[kV]＝１２０ｋＶ
Ｘ線管の管電流[mA]＝２８０ｍＡ
である。この場合に、上記各スキャンパラメータの値は基本的には医師からの検査オーダ情報に従って設定される。但し、Ｘ線管の管電圧ｋＶ，管電流ｍＡについては、被検体の体格にも関連するため、より良いＣＴ画像を得るには、技師の裁量が必要となる。そこで、技師は被検体の体格に係る情報を参照できる。又は、被検体が過去に撮影履歴がある場合は、その際の撮影条件（管電圧ｋＶ，管電流ｍＡ）を参考にする事も可能である。更には、被検体の被曝量（過去の検査頻度）を考慮して、今回のＸ線曝射エネルギーを軽減する配慮も可能となる。
【００５１】
ステップＳ２２では、パラメータ設定の確認「ＣＯＮＦＩＲＭ」ボタンが入力されるのを待ち、やがて、「ＣＯＮＦＩＲＭ」ボタンが入力されると、ステップＳ２３では上記スキャンパラメータに従って、走査ガントリ部３０及び撮影テーブル２０に関するスキャン準備制御を行う。このスキャン準備制御には、走査ガントリ部３０のチルト制御、Ｘ線管４０の起動制御、走査ガントリの回転制御、天板２１の搬送制御等が含まれる。
【００５２】
やがて、スキャン準備制御が完了すると、ステップＳ２４では被検体のスキャンを行い、ステップＳ２５では所定のスキャン動作を完了したか否かを判別する。完了していない場合は、ステップＳ２４に戻り、スキャンを続行する。
【００５３】
やがて、スキャンを完了すると、ステップＳ２６ではＣＴ断層像を再構成し、結果を二次記憶装置１６に保存する。そして、ステップＳ２７ではＣＴ断層像を表示部１３に表示する。
【００５４】
なお、上記実施の形態では本発明のＸ線ＣＴ検査システムへの適用例を述べたが、これに限らない。本発明は、他のＸ線テレビ装置、ＭＲＩ装置、心電計等による検査システムにも適用可能である。
【００５５】
また、上記本発明に好適なる実施の形態を述べたが、本発明思想を逸脱しない範囲内で各部の構成、制御、処理及びこれらの組み合わせの様々な変更が行えることは言うまでも無い。
【００５６】
【発明の効果】
以上述べた如く本発明によれば、患者（被検体）を迅速かつ的確に自動認識できると共に、その医療関連情報を抽出できるため、多数の患者の医療検査を安全かつ迅速に遂行できる。
【図面の簡単な説明】
【図１】本発明の原理を説明する図である。
【図２】実施の形態によるＸ線ＣＴ検査システムの要部構成図である。
【図３】実施の形態によるＸ線ＣＴ検査システムの外観図である。
【図４】実施の形態による患者情報入力方式の構成を示す図である。
【図５】実施の形態によるＸ線ＣＴ検査処理のフローチャートである。
【図６】従来技術を説明する図である。
【符号の説明】
１０  操作コンソール部
２０  撮影テーブル
３０  走査ガントリ部
７０  カードリーダ
８０  診療（ＩＣ）カード
【図１】
0004739589.tif 000002
【図２】
0004739589.tif 000003
【図３】
0004739589.tif 000004
【図４】
0004739589.tif 000005
【図５】
0004739589.tif 000006
【図６】
0004739589.tif 000007